(57)【要約】      （修正有）【課題】目視角度を変化させることによって、凸レンズ層よりも浮いて或いは沈んで見える拡大虚像と複数の模様の拡大虚像とを自在に組み合わせることを可能とし、利用者に意外性による驚きと楽しさを与える表示シートを提供する。【解決手段】透明な基板１１と、基板の表面側に設けられた複数の凸レンズ１２により構成される凸レンズ部１３と、基板の裏面側に設けられた模様部１４とを備え、凸レンズ部を構成する複数の凸レンズは相互に同一の間隔寸法で配置されると共に模様部を構成する模様も相互に同一の間隔寸法で配置される一方、凸レンズの配置ピッチと模様の配置ピッチは異なるように形成された表示シート１０において、模様部は、複数の柄が短冊状に切断され、柄毎に交互に配置されて形成されている。【選択図】図１
0003190692.tif 000002
【実用新案登録請求の範囲】
【請求項１】
透明な基板と、上記基板の表面側に設けられた複数の凸レンズにより構成される凸レンズ部と、上記基板の裏面側に設けられた模様部とを備え、上記凸レンズ部を構成する複数の凸レンズは相互に同一の間隔寸法で配置されると共に上記模様部を構成する模様も相互に同一の間隔寸法で配置される一方、上記凸レンズの配置ピッチと上記模様の配置ピッチは異なるように形成された表示シートにおいて、上記模様部は、複数の柄が短冊状に切断され、柄毎に交互に配置されて形成されていることを特徴とする表示シート。
【請求項２】
上記凸レンズは、正方形の４つの頂点及び上記４つの頂点に形成される対角線の交点に配置された基本単位からなり、上記基本単位が縦横方向に連続して配置されていることを特徴とする請求項１記載の表示シート。
【請求項３】
上記凸レンズは、正方形の４つの頂点及び上記４つの頂点間に形成される対角線の交点に配置された基本単位からなり、上記基本単位が縦横方向に連続して配置されると共に、上記複数の柄は、上記最も近接する一対の凸レンズの中心間の横方向における間隔寸法を柄の種類の数により除して求められる寸法に基づき切断されていることを特徴とする請求項１記載の表示シート。
【請求項４】
上記複数の柄は、同一形状であって配置角度が異なることを特徴とする請求項１記載の表示シート。
【請求項５】
上記凸レンズは、正六角形の６つの頂点及び上記６つの頂点に形成される対角線の交点に配置された基本単位からなり、上記基本単位が縦横方向に連続して配置されていることを特徴とする請求項１記載の表示シート。
【請求項６】
上記凸レンズは、正六角形の６つの頂点及び上記６つの頂点間に形成される対角線の交点に配置された基本単位からなり、上記基本単位が縦横方向に連続して配置されると共に、上記複数の柄は、上記最も近接する一対の凸レンズの中心間の横方向における間隔寸法を柄の種類の数により除して求められる寸法に基づき切断されていることを特徴とする請求項１記載の表示シート。
【考案の詳細な説明】
【技術分野】
【０００１】
本考案は、表示シートの改良に関するものである。
【背景技術】
【０００２】
従来より、凸レンズ層と透明基板層および画素層からなり、画素層の画素を縦横において異なるピッチで整列させ、１組の凸レンズと画素が上下で重なっており、例えば縦方向の画素の配列ピッチは凸レンズの配列ピッチより小さく横方向の画素の配列ピッチは凸レンズの配列ピッチよりも大きくなるように描くことで、目視する角度によって拡大虚像が凸レンズ層よりも浮かんで見えたり沈んで見えたり変化する発明は特許文献１によって既に提案されている。
【０００３】
しかしながら、ある角度から目視した際には浮かんで見える拡大虚像が、目視角度を変化させることにより沈んで見える他の拡大虚像に変化するような拡大虚像の浮き沈みと複数の模様の変化の組み合わせを実現するものはなかった。また、目視角度の変化で多数の拡大虚像が定点で同時に大きく回転して見えるといった作用を得られるものではなかった。
【特許文献１】特許第４３３７１０９号公報
【考案の開示】
【考案が解決しようとする課題】
【０００４】
そこで、本願考案は、このような従来の要請に基づくものであって、目視角度を変化させることによって、凸レンズ層よりも浮いて或いは沈んで見える拡大虚像と複数の模様の拡大虚像とを自在に組み合わせることを可能とし、例えば浮かんで見える拡大虚像が沈んで見える別の拡大虚像へ変化する演出を可能とした、利用者に意外性による驚きと楽しさを与える表示シートを提供する。
【課題を解決するための手段】
【０００５】
上記課題を解決するために請求項１記載の考案にあっては、透明な基板と、上記基板の表面側に設けられた複数の凸レンズにより構成される凸レンズ部と、上記基板の裏面側に設けられた模様部とを備え、上記凸レンズ部を構成する複数の凸レンズは相互に同一の間隔寸法で配置されると共に上記模様部を構成する模様も相互に同一の間隔寸法で配置される一方、上記凸レンズの配置ピッチと上記模様の配置ピッチは異なるように形成された表示シートにおいて、上記模様部は、複数の柄が短冊状に切断され、柄毎に交互に配置されて形成されていることを特徴とする。
従って、表面側から目視することにより模様部に描かれた模様の拡大虚像が凸レンズ部よりも浮かんで或いは沈んで見え、目視角度を変化させると別の模様の拡大虚像が凸レンズ部よりも浮かんで或いは沈んで見える。
【０００６】
請求項２記載の考案にあっては、上記凸レンズは、正方形の４つの頂点及び上記４つの頂点に形成される対角線の交点に配置された基本単位からなり、上記基本単位が縦横方向に連続して配置されていることを特徴とする。従って、単に正方形状に並列した場合に比べて単位面積あたりに多くの凸レンズを配設することが可能となる。
【０００７】
請求項３記載の考案にあっては、上記凸レンズは、正方形の４つの頂点及び上記４つの頂点間に形成される対角線の交点に配置された基本単位からなり、上記基本単位が縦横方向に連続して配置されると共に、上記複数の柄は、上記最も近接する一対の凸レンズの中心間の横方向における間隔寸法を柄の種類の数により除して求められる寸法に基づき切断されていることを特徴とする。従って、他の寸法で切断されている場合に比べて模様の拡大虚像がより鮮明となる。
【０００８】
請求項４記載の考案にあっては、上記複数の柄は、同一形状であって配置角度が異なることを特徴とする。従って、表示シートに対する目視角度を変化させることで模様の拡大虚像の角度が変化して見える。
【０００９】
上記凸レンズは、正六角形の６つの頂点及び上記６つの頂点に形成される対角線の交点に配置された基本単位からなり、上記基本単位が縦横方向に連続して配置されていることを特徴とする。従って、単に正六角形状に並列した場合に比べて単位面積あたりに多くの凸レンズを配設することが可能となる。
【００１０】
上記凸レンズは、正六角形の６つの頂点及び上記６つの頂点間に形成される対角線の交点に配置された基本単位からなり、上記基本単位が縦横方向に連続して配置されると共に、上記複数の柄は、上記最も近接する一対の凸レンズの中心間の横方向における間隔寸法を柄の種類の数により除して求められる寸法に基づき切断されていることを特徴とする。従って、他の寸法で切断されている場合に比べて模様の拡大虚像がより鮮明となる。
【考案の効果】
【００１１】
請求項１記載の表示シートにあっては、凸レンズの配置ピッチと模様の配置ピッチとが異なるように形成されていることから、凸レンズ側より表示シートを目視することにより図柄の拡大虚像が現出するとともに該拡大虚像は凸レンズ部よりも浮き出して或いは沈んで現出する。且つ模様部が短冊状に切断された複数の柄から形成されることから、目視角度を変化させることにより別の模様を表示させることができる。
【００１２】
従って、利用者へ目視角度を変化させることにより模様の変化と浮き沈みの変化の意外性による驚きと楽しさを与えることが出来るため、本考案に係る表示シートを施した物品の購買意欲の向上に繋がる。
【００１３】
請求項２記載の表示シートにあっては、正方形の４つの頂点のみに凸レンズが配されるように構成した基本単位と比べ、より密に凸レンズを配設することが出来るので、現出する拡大虚像も高密度で形成可能となり、利用者に与える驚きや楽しさも大きいものとなる。
【００１４】
請求項３記載の表示シートにあっては、凸レンズの配置ピッチと基本柄の切断ピッチとの関係がこのような関係にあることにより、模様の拡大虚像をより鮮明に演出することが可能となる。従って、利用者は鮮明な模様の拡大虚像を楽しむことが出来る。
【００１５】
請求項４記載の表示シートにあっては、多数の角度の異なる柄を短冊状に切断して構成することにより、目視角度を変化させることで多数の模様が定点で回転しているかのように見え、利用者に意外性による驚きを与えることが出来る。
【００１６】
請求項５記載の表示シートにあっては、正六角形の頂点のみに凸レンズが配されるように構成した基本単位と比べ、より密に凸レンズを配設することが出来るので、現出する拡大虚像も高密度で形成可能となり、利用者に与える驚きや楽しさも大きいものとなる。
【００１７】
請求項６記載の表示シートにあっては、凸レンズの配置ピッチと基本柄の切断ピッチとの関係がこのような関係にあることにより、模様の拡大虚像をより鮮明に演出することが可能となる。従って、利用者は鮮明な模様の拡大虚像を楽しむことが出来る。
【図面の簡単な説明】
【００１８】
【図１】図１は、本考案に係る表示シートの一実施形態を示した断面図の概念図である。
【図２】図２は、本考案に係る表示シートの一実施形態を示し、凸レンズの配置を示した平面図である。
【図３】図３は、本考案に係る表示シートの一実施形態を示し、（a）は星の基本柄の拡大平面図、（b）はハートの基本柄の拡大平面図、（c）は（a）および（b）を所定寸法で切断した断片を交互に配置した模様の拡大平面図である。
【図４】図４は、本考案に係る表示シートの一実施形態を示し、表面側より目視した際に見える拡大虚像を示した概念図である。（a）はある視点角度から見た状態を示し、（b）は（a）とは別の視点角度から見た状態を示す。
【図５】図５は、本考案に係る表示シートの一実施形態を示し、（a）から（e）までの５種類の同一形状であって配置角度が異なる基本柄を示した拡大平面図である。
【図６】図６は、本考案に係る表示シートの一実施形態を示し、図５の（a）から（e）の５種類の基本柄を所定寸法で切断した断片を交互に配置した模様の拡大平面図である。
【図７】図７は、本考案に係る表示シートの一実施形態を示し、凸レンズ側より目視し、目視角度を徐々に変化させていった際に見える拡大虚像が回転して見える状態を示した概念図である。
【図８】図８は、本考案に係る表示シートの一実施形態を示し、正六角形状の凸レンズ配列の基本単位を示す概念図である。
【図９】図９は、本考案に係る表示シートの一実施形態を示し、（a）は正六角形状の配列とした星の基本柄の拡大図であり、（b）は正六角形状の配列とした丸の基本柄の拡大図であり、（c）は（a）および（b）を所定寸法で切断した断片を交互に配置した模様の拡大平面図である。
【図１０】図１０は、本考案に係る表示シートの一実施形態を示し、凸レンズ側より目視した際に見える拡大虚像を示した概念図である。（a）はある視点角度から見た状態を示し、（b）は（a）とは別の視点角度から見た状態を示す。
【考案を実施するための最良の形態】
【００１９】
以下、本考案に係る表示シートを実施の形態に基づき、図面を参照して詳細に説明する。
【００２０】
以下、本考案の実施の形態を、３つのパターンについて順に対応する図面を参照して詳細に説明するが、まず全てのパターンについて共通する共通基本構成を説明する。
【００２１】
図１に示すように、本実施の形態に係る表示シート１０は、透明な基板である厚さ寸法２ｍｍのアクリル板１１と、上記アクリル板１１の表面側にはメジウムインクをシルクスクリーン印刷したのち紫外線照射することによって設けられた複数の凸レンズ１２により構成される凸レンズ部１３と、上記アクリル板１１の裏面側にシルクスクリーン印刷によって設けられた模様部１４とを備えている。模様部１４の外方には白色印刷部１５、さらに外方には黒色印刷部１７が形成されている。
【００２２】
上記凸レンズ部１３を構成する複数の凸レンズ１２は相互に同一の間隔寸法で配置されると共に上記模様部１４を構成する模様１６も相互に同一の間隔寸法で配置される一方、上記凸レンズの配置ピッチ１８と上記模様の配置ピッチ１９は異なるように形成されている。図１は概念図であり、凸レンズおよび模様の配置に関する詳細の構成は以下の３つのパターンで個々に説明する。
【００２３】
本考案の一実施の形態に係る表示シート１０の共通基本作用について説明する。
上記構成を有することから表面側から利用者が目視することにより、図１から図４に示すように模様１６の拡大虚像２０が現出するとともに、凸レンズ部の配置ピッチ１８と模様の配置ピッチ１９が異なるように形成されていることから、上記現出する模様の拡大虚像２０は凸レンズ部１３よりも浮かんで或いは沈んで現出する。
模様部１４の外方には白色印刷部１５が形成されていることから、表面側より利用者が目視したときに見ることが出来る模様の拡大虚像２０の背景色は白色となる。
また、白色印刷部１５の外方には黒色印刷部１７が形成されており、アクリル板１１の裏面側から表面側への透過光が抑制されるため、表面側より目視した際に現出する模様の拡大虚像２０や背景色は、より外部の光環境による影響を低減できる。
【００２４】
本考案の一実施の形態に係る星１６aとハート１６ｂの切り替わりの表示シート１０の構成について図２から図４を参照して以下説明する。
上記共通基本構成を有した上で、本考案の一実施の形態に係る星１６aとハート１６ｂの切り替わりの表示シート１０は以下の構成を有する。
【００２５】
図２に示すように、上記凸レンズ１２は直径０.６ｍｍに形成され、正方形の４つの頂点及び上記４つの頂点に形成される対角線の交点に配置された基本単位からなり、上記基本単位が縦横方向に連続して配置されている。
上記正方形の４つの頂点間の間隔寸法である凸レンズの配置ピッチ１８は１.２０２ｍｍであり、上記４つの頂点と上記４つの頂点の対角線の交点との横方向の間隔寸法は０．６０１ｍｍで構成されている。
【００２６】
図３（c）に示すように、上記模様部１４は、上記凸レンズ１２の基本単位と同形状に且つ異なるピッチで形成され縦横方向に連続して配置された複数の柄、星１６aとハート１６ｂの柄により形成されている。
上記模様部１４は、図３（a）に示すように縦寸法０．６ｍｍ、横寸法０．６３１ｍｍで形成された星１６aの中心点が位置する正方形の４つの頂点間の間隔寸法である星の配置ピッチ１９aが１．１２９ｍｍで描かれた柄と、図３（ｂ）に示すように縦寸法０．６２５ｍｍ、横寸法０．７１１ｍｍで形成されたハート１６ｂが１．２８３ｍｍのハートの配置ピッチ１９ｂで描かれた柄から構成されており、その構成方法は以下のとおりである。
【００２７】
上記２種類の柄は図３（a）および図３（ｂ）に示すように、上記最も近接する一対の凸レンズの中心間の横方向における間隔寸法２１の０．６０１ｍｍを柄の種類の数である２により除して求められる０．３００５ｍｍの切断寸法２２に基づき短冊状に切断される。上記切断寸法２２に基づき切断された短冊を、図３（a）の最も左側に位置する星１６a柄の短冊、図３（ｂ）の左から２番目に位置するハート１６ｂ柄の短冊、図３（a）の左から３番目に位置する星１６a柄の短冊のように柄毎に交互に配置されて形成されている。
【００２８】
以下、本実施の形態に係る星１６aとハート１６ｂの切り替わりの表示シート１０の作用について図２から４を参照して説明する。
上記共通基本作用を有した上で、本実施の形態に係る星１６aとハート１６ｂの切り替わりの表示シート１０は以下の作用を有する。
【００２９】
星の配置ピッチ１９aは１．１２９ｍｍであり、凸レンズの配置ピッチ１８の１．２０２ｍｍよりも小さいため、表示シート１０の表面側より目視することにより、図４（a）に示すように星の拡大虚像２０aは凸レンズ部１３よりも沈んで現出する。
ハートの配置ピッチ１９ｂは１．２８３ｍｍであり、凸レンズの配置ピッチ１８の１．２０２ｍｍよりも大きいため、表示シート１０の表面側より目視することにより、図４（b）に示すようにハートの拡大虚像２０ｂは凸レンズ部１３よりも浮かんで現出する。
【００３０】
上記ハート１６ｂの柄のように凸レンズの配置ピッチ１８よりも大きいピッチで描く場合は、表示シート１０の表面側より目視した際に現出する拡大虚像は上下逆転して見えるため、図３（b）に示すように、模様１６は目視した際に見える向きとは上下逆さに描くことが好ましい。
【００３１】
また、図４に示すように上記表示シート１０を表面側より目視した際には、ある目視角度から見たときには星の拡大虚像２０aが凸レンズ部１３よりも沈んで見え、目視角度を変化させて見たときにはハートの拡大虚像２０ｂが凸レンズ部１３よりも浮かんで現出するという柄の変化を発現する。
【００３２】
本考案の一実施の形態に係る柄の回転の表示シート１０について図２および図５から図７を参照して以下説明する。
上記共通基本構成を有した上で、本考案の一実施の形態に係る柄の回転の表示シート１０は以下の構成を有する。
【００３３】
図２に示すように、上記凸レンズ１２は直径０．６ｍｍに形成され、正方形の４つの頂点及び上記４つの頂点に形成される対角線の交点に配置された基本単位からなり、上記基本単位が縦横方向に連続して配置されている。
上記正方形の４つの頂点間の間隔寸法である凸レンズの配置ピッチ１８は１.２０２ｍｍ、上記４つの頂点のうち１つと上記４つの頂点の対角線の交点との横方向の間隔寸法は０．６０１ｍｍで構成されている。
【００３４】
図５（a）から（e）に示すように、上記模様部１４は、上記凸レンズ１２の基本単位と同形状に且つ異なる１．１２９ｍｍの棒の配置ピッチ１９ｃで形成され縦横方向に連続して配置された棒１６ｃにより構成される複数の柄によって形成されている。上記複数の柄は、模様１６である棒１６ｃが同一形状であって配置角度が異なるように形成されており、角度が異なる棒１６ｃの柄が５種類ある。各棒１６ｃの大きさは図５（e）に示すように長さ寸法は０．６７２ｍｍ、幅寸法は０．２ｍｍで描かれている。
【００３５】
これらを図６に示すように上記最も近接する一対の凸レンズ１２の中心間の横方向における間隔寸法２１である０．６０１ｍｍを柄の種類の数である５によって除して求められる０．１２０２ｍｍの切断寸法２２に基づき短冊状に切断されている。
上記切断寸法２２に基づき切断された図５（a）から図５（e）までの短冊状の各柄を、図５（a）最も左側の短冊、図５（ｂ）左から２番目に位置する短冊、図５（ｃ）左から３番目に位置する短冊、図５（ｄ）左から４番目に位置する短冊、図５（e）左から５番目に位置する短冊、図５（a）左から６番目に位置する短冊のように柄毎に交互に配置されて形成されている。
【００３６】
以下、本実施の形態に係る模様の回転の表示シート１０の作用について図７を参照して説明する。
上記共通基本作用を有した上で、本実施の形態に係る模様の回転の表示シート１０は以下の作用を有する。
【００３７】
図７は、該表示シート１０をある目視角度から見たときに現出する棒の拡大虚像２０ｃを濃色で示し、目視角度を変化させて行くことで順次切り替わる角度が異なる棒の拡大虚像２０ｃを淡色で示している。
棒の配置ピッチ１９ｃである１．１２９ｍｍは凸レンズの配置ピッチ１８である１．２０２ｍｍよりも小さいため、表示シート１０の表面側より目視することにより、図７に示すように棒の拡大虚像２０ｃは凸レンズ部１３よりも沈んで現出する。
また、目視角度を変化させて行くことで図７に示すように棒の拡大虚像２０ｃは次第に角度変化が大きくなるように順に切り替わっていく。従って、棒の拡大虚像２０ｃは回転しているように見える。
【００３８】
以下、本実施の形態に係る凸レンズ部１３が正六角形の６つの頂点及び上記６つの頂点に形成される対角線の交点に配置された基本単位からなり、上記基本単位が縦横方向に連続して配置されている星１６a柄と丸１６ｄ柄の切り替わり表示シート１０（以下、正六角形配列の表示シート１０とする）について、図８から図１０を参照して説明する。
該正六角形配列の表示シート１０は上記共通基本構成を有した上で、以下の構成を有する。
【００３９】
図８に示すように、上記凸レンズ１２は、正六角形の６つの頂点及び上記６つの頂点に形成される対角線の交点に配置された基本単位からなり、上記基本単位が縦横方向に連続して配置されている。凸レンズ１２は、凸レンズ１２間の中心間の間隔寸法である配置ピッチ１８は０．１２ｍｍであり直径は０．０９ｍｍで形成されている。また、このように配列したときには最も近接する一対の凸レンズの中心間の横方向における間隔寸法２１は０．１０４ｍｍとなる。
【００４０】
図９（a）から図９（ｃ）に示すように、上記模様部１４は、上記凸レンズ１２の基本単位と同形状に且つ異なるピッチで形成され縦横方向に連続して配置された複数の柄、星１６aと丸１６ｄの柄により形成されている。
上記複数の柄は、図９（a）に示すように星１６aの大きさが縦寸法０．１０１ｍｍ、横寸法０．１０９ｍｍで描かれ０．１１６ｍｍの星の配置ピッチ１９aで形成された星１６a柄と、図９（ｂ）に示すように丸１６ｄの大きさが直径０．１０３ｍｍで描かれており、０．１２４ｍｍの丸の配置ピッチ１９ｄで形成された丸１６ｄ柄とで構成されている。
上記２種類の柄は、上記最も近接する一対の凸レンズの中心間の横方向における間隔寸法２１である０．１０４ｍｍを柄の種類の数である２によって除して求められる０．０５２ｍｍの切断寸法２２に基づき短冊状に切断され、図９（a）星１６a柄と図９（ｂ）丸１６ｄ柄の切断された短冊状の柄が、図９（a）最も左側の短冊、図９（ｂ）左から２番目に位置する短冊、図９（a）左から３番目に位置する短冊のように柄毎に交互に配置されて形成されている。
【００４１】
以下、上記正六角形配列の表示シート１０の作用について図１０を参照して説明する。
上記共通基本作用を有した上で、上記正六角形配列の表示シート１０は以下の作用を有する。
【００４２】
図９（a）に示すように最も近接する星１６a柄の中心間の間隔寸法である星の配置ピッチ１９aは、０．１１６ｍｍであり、最も近接する凸レンズの中心間の間隔寸法である凸レンズの配置ピッチ１８の０．１２ｍｍより小さいため、表示シート１０の表面側より目視することにより、図１０に示すように星の拡大虚像２０aは凸レンズ部１３よりも沈んで現出する。
また、図９（b）に示すように最も近接する丸１６ｄ柄の中心間の間隔寸法である丸の配置ピッチ１９ｄは、０．１２４ｍｍであり、最も近接する凸レンズの中心間の間隔寸法は、０．１２ｍｍより大きいため、表示シート１０の表面側より目視することにより、図１０に示すように丸の拡大虚像２０ｄは凸レンズ部１３よりも浮かんで現出する。
【００４３】
また、図１０に示すように上記表示シート１０を表面側より目視した際には、ある目視角度から見たときには星の拡大虚像２０aが凸レンズ部１３よりも沈んで見え、目視角度を変化させて見たときには丸の拡大虚像２０ｄが凸レンズ部１３よりも浮かんで現出するという柄の変化を発現する。
【００４４】
上記実施の形態においては、基板１１がアクリル板である例を説明したがこれに限定されるものではなく、ポリカーボネートのほか透明性を有する板であれば良い。
【産業上の利用可能性】
【００４５】
本考案は、従来にない図柄の配置方法によって新たな表示効果を発現する表示シートであって、文具や玩具の装飾等の様々な分野での利用が可能であり産業上利用可能性を有している。
【符号の説明】
【００４６】
１０    表示シート
１１    基板
１２    凸レンズ
１３    凸レンズ部
１４    模様部
１５    白色印刷部
１６    模様
１６a   星
１６ｂ  ハート
１６c   棒
１６ｄ  丸
１７    黒色印刷部
１８    凸レンズの配置ピッチ
１９    模様の配置ピッチ
１９a   星の配置ピッチ
１９ｂ  ハートの配置ピッチ
１９ｃ  棒の配置ピッチ
１９ｄ  丸の配置ピッチ
２０    模様の拡大虚像
２０a   星の拡大虚像
２０ｂ  ハートの拡大虚像
２０ｃ  棒の拡大虚像
２０ｄ  丸の拡大虚像
２１    中心間の横方向における間隔寸法
２２    切断寸法 
【図１】
0003190692.tif 000003
【図２】
0003190692.tif 000004
【図３】
0003190692.tif 000005
【図４】
0003190692.tif 000006
【図５】
0003190692.tif 000007
【図６】
0003190692.tif 000008
【図７】
0003190692.tif 000009
【図８】
0003190692.tif 000010
【図９】
0003190692.tif 000011
【図１０】
0003190692.tif 000012